(57)【要約】【課題】エギ、または烏賊角を製作するのに使用する烏賊角等擬餌製造用被覆材、及びこれを用いた烏賊角等擬餌、並びに当該擬餌の製法を新規に提供するものである。【解決手段】実際の魚等生餌を写真に撮る工程と、当該写真の撮影画像をコンピュータに入力すると共に当該コンピュータ上で上記生餌の部分の画像とその反転画像とを合成して対称画像を作成する工程と、この対称画像を布、フイルム等基材にプリントアップして被覆材を得る工程と、このプリントアップされた被覆材を烏賊角等擬餌本体に被着する工程と、を有することを特徴とする。【選択図】        図２
2004215515.tif 000002
【特許請求の範囲】
【請求項１】
実際の魚等生餌が撮影された写真から生餌の撮影画像をコンピュータに入力すると共に当該コンピュータ上で上記撮影画像の部分画像と当該部分画像の反転画像とを合成することによって得られた対称画像が、片面または両面にプリントアップされたことを特徴とする擬餌製造用被覆材。
【請求項２】
上記部分の画像は、実際の魚等生餌の半身分であることを特徴とする請求項１記載の擬餌製造用被覆材。
【請求項３】
上記画像は、これが上記コンピュータ上で着色加工等によりデフォルメされたものであることを特徴とする請求項１または２記載の擬餌製造用被覆材。
【請求項４】
請求項１、２または３記載の擬餌用被覆材が、擬餌本体に被着されて成ることを特徴とする擬餌。
【請求項５】
上記擬餌本体がエギ本体若しくは烏賊角本体であることを特徴とする請求項４記載の擬餌。
【請求項６】
実際の魚等生餌を写真に撮る工程と、当該写真の撮影画像をコンピュータに入力すると共に当該コンピュータ上で上記生餌の部分の画像とその反転画像とを合成して対称画像を作成する工程と、この対称画像を布、フイルム等基材にプリントアップして被覆材を得る工程と、このプリントアップされた被覆材を擬餌本体に被着する工程とを有することを特徴とする擬餌の製法。
【請求項７】
上記コンピュータ上で画像をデフォルメする工程を含むことを特徴とする請求項６記載の擬餌の製法。
【発明の詳細な説明】
【０００１】
【発明が属する技術分野】
本発明は、エギ、または烏賊角等擬餌を製作するのに使用する擬餌製造用被覆材、及びこれを用いた擬餌、並びに当該擬餌の製法に関するものである。
【０００２】
【従来の技術】
従来知られているこの種のエギ、烏賊角等擬餌は、次のような被覆材が擬餌本体に被着されたものであった。すなわち、生餌の絵がスクリーン印刷、パット印刷あるいは手書き等により表出された、或は当該表出後に塗装もしくは手書により模様付された被覆材。
【０００３】
なお、本願出願人は先行技術の調査によって、関連する先行技術文献を見出すことができなかった。
【０００４】
【発明が解決しようとする課題】
上記従来の技術において述べた烏賊角等擬餌は、▲１▼模様の細かい部分の細工が作れない、▲２▼デフォルメしにくい、▲３▼製造工程が煩瑣である、▲４▼製版等の専門技術が必要である等の問題点があった。
【０００５】
本発明は、上記諸問題点を解消する新規の擬餌製造用被覆材、及びこれを用いた擬餌、並びに当該擬餌の製法を提供することを目的とする。
【０００６】
【課題を解決するための手段】
本発明者は、カメラで撮影した撮影画像には魚等被写体の裏側が絶対に写らないため、当該撮影画像を利用して烏賊角等擬餌を製作できないだろうと考えられていた現況に鑑み、本発明を案出したものである。
【０００７】
上記目的を達成するために請求項１に係る擬餌製造用被覆材は、実際の魚等生餌が撮影された写真から生餌の撮影画像をコンピュータに入力すると共に当該コンピュータ上で上記撮影画像の部分画像と当該部分画像の反転画像とを合成することによって得られた対称画像が、片面または両面にプリントアップされたことを特徴とする。
【０００８】
そして、請求項２に係る擬餌製造用被覆材は、上記部分の画像は、実際の魚等生餌の半身分であることを特徴とする。
【０００９】
また、請求項３に係る擬餌製造用被覆材は、上記画像は、これが上記コンピュータ上で着色加工等によりデフォルメされたものであることを特徴とする。
【００１０】
さらに、請求項４に係る擬餌は、上記擬餌用被覆材が擬餌本体に被着されて成ることを特徴とする。
【００１１】
そして、上記擬餌本体がエギ本体若しくは烏賊角本体であることを特徴とする。
【００１２】
また、請求項６に係る擬餌の製法は、実際の魚等生餌を写真に撮る工程と、当該写真の撮影画像をコンピュータに入力すると共に当該コンピュータ上で上記生餌の部分の画像とその反転画像とを合成して対称画像を作成する工程と、この対称画像を布、フイルム等基材にプリントアップして被覆材を得る工程と、このプリントアップされた被覆材を擬餌本体に被着する工程とを有することを特徴とするものである。
【００１３】
そして、請求項７に係る擬餌の製法は、上記コンピュータ上で上記画像をデフォルメする工程を含むことを特徴とするものである。
【００１４】
【発明の実施の形態】
本発明の一つの実施形態を図面に依拠して説明する。この実施形態は、釣り糸結着用環１が先端に取付けられ、烏賊釣り針２が尾端に取付けられたエギ本体３に後述する被覆材４が被着されたものである。なお、図中符号１５はタングステン製オモリである。
【００１５】
すなわち、上記の被覆材４は、実際の魚等生餌が撮影された写真６から生餌の撮影画像７をコンピュータ８に入力すると共に同コンピュータ８上で、上記撮影画像７の部分画像９と当該部分画像の反転画像１０との対称画像１１を合成し、然るのち当該対称画像１１を布１３の表面にプリントアップされることによって得たものである。この布１３の代りに合成樹脂フイルム、不織布、薄い合成皮革、水に強い合成紙等を任意に採用することでき、製品の多様化に有利である。
【００１６】
上記の部分画像、反転画像または対称画像を作成するときには，上記コンピュータを使って部分的に色を変えることで強調する等の着色加工を施したり、他の模様等絵をペーストする操作または一部分を切除する操作をすることで強調する等の変形加工を施したりして、適宜にデフォルメすることは任意である。また、上記プリントアップ後に、あるいはエギ本体、烏賊角本体等擬餌本体への被着後に吹き付け塗装、手書等によって模様を追加・変更することは自由である。この場合、夜光若しくは蓄光塗料を使用することができる。さらに、上記プリントアップする直前の対称画像を含むデータをＦＤ、ＣＤ等記録媒体に保存し、これを提供するように形成することも可能である。
【００１７】
さらに、上記部分画像は、目玉を含む頭部のみである、若しくは当該頭部を含む部分である場合、目玉を狙って捕食する魚に生き生きとした状態を醸成するようになるので、擬餌として有効である。
【００１８】
本発明は、上記擬餌の製法に関し、部分的に色を変える等の着色加工を施す工程、他の模様等絵をペーストする操作または一部分を切除する操作をする等の色変更加工、変形加工を施す工程を含むようにすることで、また、上記製法に関し、上記プリントアップの後に、あるいはエギ本体、烏賊角本体等擬餌本体への被着の後に吹き付け塗装、手書等によって模様等を追加・変更する工程を含むようにすることで実施することが可能であり、このようにすることで対象魚の寄り付き、食い付きを良好にすることができる。
【００１９】
【発明の効果】
請求項１及び請求項２に係る擬餌製造用被覆材は、実際の魚等生餌が撮影された写真から生餌の撮影画像をコンピュータに入力すると共に当該コンピュータ上で上記撮影画像の部分画像もしくは半身分画像と当該部分画像もしくは半身分画像の反転画像とを合成することによって得られた対称画像が、布等基材の表面にプリントアップされたものであるので、実際の魚等生餌に近いリアルなエギ、烏賊角等擬餌を作ることを可能にすることができる。
【００２０】
そして、請求項３に係る擬餌製造用被覆材は、画像がコンピュータ上で着色加工等によりデフォルメされたものであるので、上記リアルさによる集魚効果にデフォルメによる高い集魚効果をさらに加味されたエギ、烏賊角等擬餌を容易に提供することができる。
【００２１】
また、請求項４及び請求項５に係るエギ、烏賊角等擬餌は、上記の擬餌用被覆材が、擬餌本体に被着されて成るので、実際の魚等生餌に酷似しているものであって、当該生餌と遜色のないもしくはそれ以上の釣果が期待できるものである。
【００２２】
さらに、請求項６に係る擬餌の製法は、実際の魚等生餌を写真に撮る工程と、当該写真の撮影画像をコンピュータに入力すると共に当該コンピュータ上で上記生餌の部分の画像とその反転画像とを合成して対称画像を作成する工程と、この対称画像を布、フイルム等基材にプリントアップして被覆材を得る工程と、このプリントアップされた被覆材を擬餌本体に被着する工程と、を有することを特徴とするので、模様の細かいところまで表現できた極めて実際の魚等生餌に酷似する擬餌が容易に提供できるものであって、上記諸問題点を一挙に解消するという所期の目的を充分に達成する著効を奏するものである。
【００２３】
さらに、請求項７に係る擬餌の製法は、コンピュータ上で画像をデフォルメする工程を含むことを特徴とするので、デフォルメによる高い集魚効果をも備えた擬餌を提供することができるものである。
【図面の簡単な説明】
【図１】本発明に係る擬餌の完成品を示す正面図である。
【図２】同じく一部切截正面図である。
【図３】撮影画像を有する写真を示す正面図である。
【図４】撮影画像をコンピュータに入力した状態を示す正面図である。
【図５】撮影画像から部分画像を切り取った状態を示す正面図である。
【図６】反転画像で対称画像を合成した状態を示す正面図である。
【図７】コンピュータから対称画像を出力した状態を示す正面図である。
【図８】対称画像を布にプリントアップした状態を示す一部分平面図である。
【符号の説明】
１  釣り糸結着用環
２  烏賊釣り針
３  エギ本体
４  被覆材
６  写真
７  撮影画像
８  コンピュータ
９  部分画像
１０  反転画像
１１  対称画像
１３  布
【図１】
2004215515.tif 000003
【図２】
2004215515.tif 000004
【図３】
2004215515.tif 000005
【図４】
2004215515.tif 000006
【図５】
2004215515.tif 000007
【図６】
2004215515.tif 000008
【図７】
2004215515.tif 000009
【図８】
2004215515.tif 000010